(57)【要約】【課題】簡易な構成及び制御で、画像データに応じた適切な輝度階調で発光素子を発光動作させることができる発光駆動回路を提供し、以て、表示画質に優れた発光装置及びその駆動制御方法、並びに、該発光装置を適用した電子機器を提供する。【解決手段】有機ＥＬ素子ＯＥＬに発光駆動電流を供給するトランジスタＴｒ１３と、トランジスタＴｒ１３のゲート端子（接点Ｎ１１）とデータラインＬｄとの接続を制御するトランジスタＴｒ１１と、トランジスタＴｒ１３のソース端子（接点Ｎ１２）と隣接行の選択ラインＬsi+1との接続を制御するトランジスタＴｒ１２と、トランジスタＴｒ１３のゲート・ソース間に接続されたキャパシタＣｓと、を有し、書込動作時に、トランジスタＴｒ１２をオン動作させて、トランジスタＴｒ１３のソース端子に、選択ラインＬsi+1の負電圧からなるローレベルの選択信号Ｇi+1を印加する。【選択図】図４
2012073367.tif 000002
【特許請求の範囲】
【請求項１】
複数の画素が配列された発光パネルと、該発光パネルを駆動する駆動回路と、を有する発光装置であって、
前記各画素は、
発光素子と、
電流路の一端が第１の電源電圧に接続され、前記電流路の他端が前記発光素子に接続され、制御端子に画像データに応じた階調電圧が印加される駆動制御素子と、前記駆動制御素子の前記制御端子と前記電流路の前記他端或いは前記一端とに接続された容量素子と、第１の選択信号に基づいて、前記駆動制御素子の前記制御端子に前記階調電圧を印加する第１のスイッチング素子と、前記第１の選択信号に基づいて、前記駆動制御素子の前記電流路の前記他端に第２の選択信号を印加する第２のスイッチング素子と、を具備する発光駆動回路と、
を備え、
前記駆動回路により、前記第１の選択信号及び前記第２の選択信号が、排他的関係を有して、所定のタイミングで選択レベル又は非選択レベルに設定されることを特徴とする発光装置。
【請求項２】
前記第１の選択信号及び前記第２の選択信号に設定される前記選択レベルは正電圧であり、前記非選択レベルは負電圧であって、
前記駆動回路により、前記第１の選択信号が前記選択レベルに設定されたとき、前記第１のスイッチング素子及び前記第２のスイッチング素子がオン動作して、前記駆動制御素子の前記制御端子に前記階調電圧が印加されるとともに、前記駆動制御素子の前記電流路の前記他端に前記非選択レベルの前記第２の選択信号が印加され、さらに前記容量素子の両端間に、前記階調電圧よりも大きい電圧が充電されることを特徴とする請求項１記載の発光装置。
【請求項３】
前記複数の画素は、前記発光パネルに２次元配列され、
所定の行に配列された前記各画素は、
前記第１のスイッチング素子の制御端子及び前記第２のスイッチング素子の制御端子が、前記所定の行の選択ラインに接続され、
前記第２のスイッチング素子の電流路の一端が前記所定の行以外の行の選択ラインに接続され、前記第２のスイッチング素子の前記電流路の他端が前記駆動制御素子の前記電流路の前記他端に接続されていることを特徴とする請求項１又は２に記載の発光装置。
【請求項４】
前記所定の行に配列された前記各画素は、
前記第２のスイッチング素子の電流路の一端が前記所定の行の次の行の選択ラインに接続されていることを特徴とする請求項３記載の発光装置。
【請求項５】
前記各画素に設けられる前記発光素子は、一端側が前記駆動制御素子の前記電流路の前記他端に接続され、他端側が第２の電源電圧に接続されていることを特徴とする請求項１乃至４のいずれかに記載の発光装置。
【請求項６】
請求項１乃至５のいずれに記載の発光装置が実装されてなることを特徴とする電子機器。
【請求項７】
発光素子に画像データに応じた駆動電流を流すことにより、前記発光素子を所定の輝度階調で発光動作させる発光駆動回路であって、
電流路の一端が第１の電源電圧に接続され、前記電流路の他端が前記発光素子に接続され、制御端子に前記画像データに応じた階調電圧が印加される駆動制御素子と、
前記駆動制御素子の前記制御端子と前記電流路の前記他端或いは前記一端とに接続された容量素子と、
第１の選択信号に基づいて、前記駆動制御素子の前記制御端子に前記階調電圧を印加する第１のスイッチング素子と、
前記第１の選択信号に基づいて、前記駆動制御素子の前記電流路の前記他端に第２の選択信号を印加する第２のスイッチング素子と、
を備え、
前記第１の選択信号及び前記第２の選択信号は、排他的関係を有して、所定のタイミングで選択レベル又は非選択レベルに設定されることを特徴とする発光駆動回路。
【請求項８】
前記第１の選択信号及び前記第２の選択信号に設定される前記選択レベルは正電圧であり、前記非選択レベルは負電圧であって、
前記第１の選択信号が前記選択レベルのとき、前記第１のスイッチング素子及び前記第２のスイッチング素子がオン動作して、前記駆動制御素子の前記制御端子に前記階調電圧が印加されるとともに、前記駆動制御素子の前記電流路の前記他端に前記非選択レベルの前記第２の選択信号が印加され、
前記第１の選択信号が前記選択レベルのとき、前記容量素子の両端間に、前記階調電圧よりも大きい電圧が充電されることを特徴とする請求項７記載の発光駆動回路。
【請求項９】
複数の画素が配列された発光パネルを、画像データに応じて駆動させる発光装置の駆動制御方法であって、
前記各画素は、発光素子と、電流路の一端が電源電圧に接続され、前記電流路の他端が前記発光素子に接続された駆動制御素子と、前記駆動制御素子の制御端子と前記電流路の前記他端或いは前記一端とに接続された容量素子と、第１の選択信号に基づいて、前記駆動制御素子の前記制御端子に前記階調電圧を印加する第１のスイッチング素子と、前記第１の選択信号に基づいて、前記駆動制御素子の前記電流路の前記他端に第２の選択信号を印加する第２のスイッチング素子と、を有し、
前記第１の選択信号を選択レベルに設定することにより、前記第１のスイッチング素子及び前記第２のスイッチング素子をオン動作させて、前記駆動制御素子の前記制御端子に、前記画像データに応じた階調電圧を印加するとともに、前記駆動制御素子の前記他端或いは前記一端に、非選択レベルの前記第２の選択信号を印加して、前記容量素子に所定の電圧を充電する書込動作ステップと、
前記第１の選択信号を非選択レベルに設定することにより、前記第１のスイッチング素子及び前記第２のスイッチング素子をオフ動作させて、前記容量素子に充電された電圧に基づいて、前記駆動制御素子により前記画像データに応じた駆動電流を流すことにより、前記発光素子を所定の輝度階調で発光動作させる発光動作ステップと、
を含むことを特徴とする発光装置の駆動制御方法。
【請求項１０】
前記第１の選択信号及び前記第２の選択信号に設定される前記選択レベルは正電圧であり、前記非選択レベルは負電圧であって、
前記書込動作ステップは、前記容量素子の両端間に、前記階調電圧よりも大きい電圧を充電し、
前記発光動作ステップは、前記発光素子を、前記画像データに応じた輝度階調よりも高い輝度階調で発光動作させることを特徴とする請求項９記載の発光装置の駆動制御方法。
【発明の詳細な説明】
【技術分野】
【０００１】
本発明は、発光駆動回路、発光装置及びその駆動制御方法、並びに電子機器に関し、特に、電流駆動型の発光素子に、画像データに応じた駆動電流を供給する発光駆動回路、当該発光素子及び発光駆動回路を有する複数の画素を、２次元配列した発光パネルを備えた発光装置及びその駆動制御方法、並びにこれを適用した電子機器に関する。
【背景技術】
【０００２】
近年、液晶表示装置に続く次世代の表示デバイスとして、有機エレクトロルミネッセンス素子（有機ＥＬ素子）や発光ダイオード（ＬＥＤ）等のような電流駆動型（又は、電流制御型）の発光素子を、マトリクス状に配列した表示パネルを備えた発光素子型ディスプレイ（発光素子型の表示装置、発光装置）が注目されている。
【０００３】
特に、アクティブマトリックス型の駆動方式を適用した発光素子型ディスプレイは、液晶表示装置に比較して、表示応答速度が速く、視野角依存性も小さいという優れた表示特性を有している。また、発光素子型ディスプレイは、液晶表示装置のようにバックライトや導光板を必要としないため、装置構成の一層の薄型軽量化が可能であるという特長も有している。そのため、発光素子型ディスプレイは、今後様々な電子機器への適用が期待されている。
【０００４】
このような発光素子型ディスプレイにおいては、上述した発光素子を発光制御するための駆動制御機構や制御方法が種々提案されている。例えば特許文献１には表示パネルに配列された画素ごとに、画像データに応じた駆動電流を発光素子に流す駆動用のトランジスタと、この駆動用トランジスタに画像データに応じた階調信号を供給する（書き込む）ためのスイッチング用のトランジスタと、スイッチング用トランジスタを介して供給された階調信号に応じた電荷を蓄積するための保持容量と、を備えた画素回路が記載されている。
【先行技術文献】
【特許文献】
【０００５】
【特許文献１】特開２００２−１５６９２３号公報
【発明の概要】
【発明が解決しようとする課題】
【０００６】
しかしながら、このような画素回路を備えた発光素子型ディスプレイにおいては、次のような問題点を有していた。
すなわち、表示パネルに配列された各画素に上記階調信号を新たに書き込む際において、前回の発光動作時に書き込まれた階調信号に起因する電荷が画素回路内に残留している場合、保持容量に蓄積される電荷に基づく書込電圧に、本来の階調信号に応じた電圧値とのずれが生じて、正確な書込動作が行われないという問題を有している。そのため、画像データに応じた適切な輝度階調で発光素子を発光させることができず、表示画質の劣化を招くという問題を有していた。このような問題は、特に低階調の階調信号に応じた低電圧を書き込む場合に顕著となる。なお、このような画素内の残留電荷に起因する問題を解決するため、例えば残留電荷を除去するためのリセット手段を設けることが考えられるが、その場合、リセット動作専用の引き回し配線を設ける必要があるため、装置規模の大型化や駆動制御の複雑化を招くという問題を有していた。
【０００７】
そこで、本発明は、上述した問題点に鑑み、簡易な構成及び制御で、画像データに応じた適切な輝度階調で発光素子を発光動作させることができる発光駆動回路を提供し、以て、表示画質に優れた発光装置及びその駆動制御方法、並びに、該発光装置を適用した電子機器を提供することを目的とする。
【課題を解決するための手段】
【０００８】
請求項１記載の発明は、
複数の画素が配列された発光パネルと、該発光パネルを駆動する駆動回路と、を有する発光装置であって、
前記各画素は、
発光素子と、
電流路の一端が第１の電源電圧に接続され、前記電流路の他端が前記発光素子に接続され、制御端子に画像データに応じた階調電圧が印加される駆動制御素子と、前記駆動制御素子の前記制御端子と前記電流路の前記他端或いは前記一端とに接続された容量素子と、第１の選択信号に基づいて、前記駆動制御素子の前記制御端子に前記階調電圧を印加する第１のスイッチング素子と、前記第１の選択信号に基づいて、前記駆動制御素子の前記電流路の前記他端に第２の選択信号を印加する第２のスイッチング素子と、を具備する発光駆動回路と、
を備え、
前記駆動回路により、前記第１の選択信号及び前記第２の選択信号が、排他的関係を有して、所定のタイミングで選択レベル又は非選択レベルに設定されることを特徴とする。
【０００９】
また、発光素子に画像データに応じた駆動電流を流すことにより、前記発光素子を所定の輝度階調で発光動作させる発光駆動回路であって、
電流路の一端が第１の電源電圧に接続され、前記電流路の他端が前記発光素子に接続され、制御端子に前記画像データに応じた階調電圧が印加される駆動制御素子と、
前記駆動制御素子の前記制御端子と前記電流路の前記他端或いは前記一端とに接続された容量素子と、
第１の選択信号に基づいて、前記駆動制御素子の前記制御端子に前記階調電圧を印加する第１のスイッチング素子と、
前記第１の選択信号に基づいて、前記駆動制御素子の前記電流路の前記他端に第２の選択信号を印加する第２のスイッチング素子と、
を備え、
前記第１の選択信号及び前記第２の選択信号は、排他的関係を有して、所定のタイミングで選択レベル又は非選択レベルに設定されることを特徴とする。
【００１０】
前記第１の選択信号及び前記第２の選択信号に設定される前記選択レベルは正電圧であり、前記非選択レベルは負電圧であって、
前記駆動回路により、前記第１の選択信号が前記選択レベルに設定されたとき、前記第１のスイッチング素子及び前記第２のスイッチング素子がオン動作して、前記駆動制御素子の前記制御端子に前記階調電圧が印加されるとともに、前記駆動制御素子の前記電流路の前記他端に前記非選択レベルの前記第２の選択信号が印加され、さらに前記容量素子の両端間に、前記階調電圧よりも大きい電圧が充電されてもよい。
前記複数の画素は、前記発光パネルに２次元配列され、
所定の行に配列された前記各画素は、
前記第１のスイッチング素子の制御端子及び前記第２のスイッチング素子の制御端子が、前記所定の行の選択ラインに接続され、
前記第２のスイッチング素子の電流路の一端が前記所定の行以外の行の選択ラインに接続され、前記第２のスイッチング素子の前記電流路の他端が前記駆動制御素子の前記電流路の前記他端に接続されていてもよい。
前記所定の行に配列された前記各画素は、
前記第２のスイッチング素子の電流路の一端が前記所定の行の次の行の選択ラインに接続されていてもよい。
前記各画素に設けられる前記発光素子は、一端側が前記駆動制御素子の前記電流路の前記他端に接続され、他端側が第２の電源電圧に接続されていてもよい。
本発明の電子機器は、上記発光装置が実装されてなることを特徴とする。
【００１１】
請求項９記載の発明は、
複数の画素が配列された発光パネルを、画像データに応じて駆動させる発光装置の駆動制御方法であって、
前記各画素は、発光素子と、電流路の一端が電源電圧に接続され、前記電流路の他端が前記発光素子に接続された駆動制御素子と、前記駆動制御素子の制御端子と前記電流路の前記他端或いは前記一端とに接続された容量素子と、第１の選択信号に基づいて、前記駆動制御素子の前記制御端子に前記階調電圧を印加する第１のスイッチング素子と、前記第１の選択信号に基づいて、前記駆動制御素子の前記電流路の前記他端に第２の選択信号を印加する第２のスイッチング素子と、を有し、
前記第１の選択信号を選択レベルに設定することにより、前記第１のスイッチング素子及び前記第２のスイッチング素子をオン動作させて、前記駆動制御素子の前記制御端子に、前記画像データに応じた階調電圧を印加するとともに、前記駆動制御素子の前記他端或いは前記一端に、非選択レベルの前記第２の選択信号を印加して、前記容量素子に所定の電圧を充電する書込動作ステップと、
前記第１の選択信号を非選択レベルに設定することにより、前記第１のスイッチング素子及び前記第２のスイッチング素子をオフ動作させて、前記容量素子に充電された電圧に基づいて、前記駆動制御素子により前記画像データに応じた駆動電流を流すことにより、前記発光素子を所定の輝度階調で発光動作させる発光動作ステップと、
を含むことを特徴とする。
【００１２】
前記第１の選択信号及び前記第２の選択信号に設定される前記選択レベルは正電圧であり、前記非選択レベルは負電圧であって、
前記書込動作ステップは、前記容量素子の両端間に、前記階調電圧よりも大きい電圧を充電し、
前記発光動作ステップは、前記発光素子を、前記画像データに応じた輝度階調よりも高い輝度階調で発光動作させてもよい。
【発明の効果】
【００１３】
本発明によれば、簡易な構成及び制御で、画像データに応じた適切な輝度階調で発光素子を発光動作することができ、良好な表示画質を実現することができる。
【図面の簡単な説明】
【００１４】
【図１】本発明に係る発光装置を表示装置に適用した場合の全体構成の一実施形態を示す概略ブロック図である。
【図２】一実施形態に係る表示装置に適用される表示パネル及びその周辺回路（駆動回路）の一例を示す要部構成図である。
【図３】一実施形態に係る表示装置に適用されるデータドライバの一例を示す概略ブロック図である。
【図４】一実施形態に係る表示パネルに適用される画素の一例を示す回路構成図である。
【図５】一実施形態に係る表示装置における選択信号、階調電圧及び画素内部の電圧レベルの関係を説明するための図である。
【図６】一実施形態に係る表示装置における駆動制御方法を示すタイミングチャートである。
【図７】一実施形態に係る表示装置における動作状態を示す概念図である。
【図８】一実施形態に係る表示装置に適用される表示パネル（発光パネル）及びその周辺回路（駆動回路）の他の例を示す要部構成図である。
【図９】本発明に係る発光装置（表示装置）を適用したデジタルカメラの構成例を示す斜視図である。
【図１０】本発明に係る発光装置（表示装置）を適用した薄型テレビジョンの構成例を示す斜視図である。
【図１１】本発明に係る発光装置（表示装置）を適用したパーソナルコンピュータの構成例を示す斜視図である。
【図１２】本発明に係る発光装置（表示装置）を適用した携帯電話機の構成例を示す斜視図である。
【発明を実施するための形態】
【００１５】
以下、本発明に係る発光駆動回路、発光装置及びその駆動制御方法、並びに電子機器について、実施形態を示して詳しく説明する。なお、本実施形態では、発光装置を表示装置に適用した場合について説明する。
【００１６】
（発光装置）
まず、本発明に係る発光装置を表示装置に適用した場合の概略構成について、図面を参照して説明する。
図１は、本発明に係る発光装置を表示装置に適用した場合の全体構成の一実施形態を示す概略ブロック図である。また、図２は、本実施形態に係る表示装置に適用される表示パネル及びその周辺回路（駆動回路）の一例を示す要部構成図である。
【００１７】
図１に示すように、本実施形態に係る表示装置（発光装置）１００は、概略、表示パネル１１０（発光パネル）と、選択ドライバ１２０と、データドライバ１３０と、システムコントローラ１４０と、表示信号生成回路１５０と、を備えている。ここで、選択ドライバ１２０、データドライバ１３０、及び、システムコントローラ１４０は、本発明における駆動回路を構成する。
【００１８】
表示パネル１１０には、図２に示すように、複数の画素ＰＩＸと、複数の選択ラインＬs1〜Ｌsmと、電圧供給線Ｌsxと、複数のデータラインＬｄと、が設けられている。
複数の画素ＰＩＸは、表示パネル１１０の行方向（図面左右方向）及び列方向（図面上下方向）に２次元配列（例えばｍ行×ｎ列；ｍ、ｎは正の整数）されている。また、複数の選択ラインＬs1〜Ｌsmの各々は、表示パネル１１０の行方向に配列された複数の画素ＰＩＸに接続されるように配設されている。複数のデータラインＬｄの各々は、表示パネル１１０の列方向に配列された複数の画素ＰＩＸに接続されるように配設されている。各画素ＰＩＸは、後述するように、発光駆動回路と発光素子とを有している。
【００１９】
ここで、本実施形態に係る表示パネル１１０においては、各行の画素ＰＩＸに、当該行及び隣接する行の計２本の選択ラインが接続されている。具体的には、図２に示すように、１行目に配列された複数の画素ＰＩＸには、１行目の選択ラインＬs1及び２行目の選択ラインＬs2が接続され、２行目に配列された画素ＰＩＸには、２行目の選択ラインＬs2及び３行目のＬs3が接続され、・・・ｉ行目（ｉは１≦ｉ≦ｍ−１となる正の整数）に配列された画素ＰＩＸには、ｉ行目の選択ラインＬsi及びｉ＋１行目の選択ラインＬsi+1が接続されている。一方、最終行であるｍ行目に配列された画素ＰＩＸには、ｍ行目の選択ラインＬsm及び電圧供給線Ｌsxが接続されている。電圧供給線Ｌsxは、例えば１行前のｍ−１行目の選択ラインＬsm-1に電気的に接続されている。また、電圧供給線Ｌsxは、選択ラインＬs1〜Ｌsmと同一の製造工程で同時に形成される。
【００２０】
選択ドライバ１２０は、上記の表示パネル１１０に行方向に配設された各選択ラインＬs1〜Ｌsmに接続されている。選択ドライバ１２０は、後述するシステムコントローラ１４０から供給される選択制御信号に基づいて、各行の選択ラインＬs1〜Ｌsmに、所定のタイミングで所定の電圧レベル（選択レベル又は非選択レベル）の選択信号Ｇ１〜Ｇｍを順次印加することにより、各行の画素ＰＩＸを順次選択状態に設定する。
【００２１】
このような選択ドライバ１２０としては、例えば図２に示すように、シフトレジスタ回路１２１と、出力回路１２２と、を備えている。シフトレジスタ１２１は、システムコントローラ１４０から供給される選択制御信号（例えば走査クロック信号及び走査スタート信号）に基づいて、各行の選択ラインＬs1〜Ｌsmに対応するシフト信号を順次出力する。出力回路１２２は、シフトレジスタ１２１から出力されるシフト信号を所定の信号レベル（選択レベル；例えばハイレベル）に変換し、システムコントローラ１４０から供給される選択制御信号（例えば出力イネーブル信号）に基づいて、各行の選択ラインＬs1〜Ｌsmに選択信号Ｇ１〜Ｇｍとして順次出力する。すなわち、特定の行の選択ラインにのみ選択レベルの選択信号が印加され、それ以外の行の選択ラインには非選択レベルの選択信号が印加される。
【００２２】
データドライバ１３０は、表示パネル１１０の列方向に配設された各データラインＬｄに接続されている。データドライバ１３０は、後述するシステムコントローラ１４０から供給されるデータ制御信号に基づいて、画像データに応じた階調信号（階調電圧Ｖdata）を生成して、各データラインＬｄを介して選択状態に設定された画素ＰＩＸへ供給する。
【００２３】
図３は、本実施形態に係る表示装置に適用されるデータドライバの一例を示す概略ブロック図である。
データドライバ１３０は、例えば図３に示すように、概略、シフトレジスタ回路１３１と、データレジスタ回路１３２と、データラッチ回路１３３と、Ｄ／Ａコンバータ１３４と、出力回路１３５と、を備えている。
【００２４】
シフトレジスタ回路１３１は、システムコントローラ１４０から供給されるデータ制御信号（シフトクロック信号ＳＣＫ、サンプリングスタート信号ＳＴＲ）に基づいて、シフト信号を生成し、データレジスタ回路１３２に順次出力する。データレジスタ回路１３２は、該シフト信号の入力タイミングに基づいて、後述する表示信号生成回路１５０から供給される１行分の画像データＤ１〜Ｄｎを順次取り込む。データラッチ回路１３３は、データ制御信号（データラッチ信号ＬＰ）に基づいて、データレジスタ回路１３２により取り込まれた１行分の画像データＤ１〜Ｄｎを保持する。Ｄ／Ａコンバータ１３４は、図示を省略した電源供給回路から供給される階調基準電圧Ｖ０〜ＶＸに基づいて、デジタル信号からなる画像データＤ１〜Ｄｎをアナログ信号電圧Ｖpixに変換する。出力回路１３５は、アナログ信号電圧Ｖpixに変換された画像データＤ１〜Ｄｎを所定の信号レベルの階調電圧Ｖdataに変換して、システムコントローラ１４０から供給されるデータ制御信号（出力イネ−ブル信号ＯＥ）に基づいて、各列のデータラインＬｄに一斉に出力する。
【００２５】
システムコントローラ１４０は、後述する表示信号生成回路１５０から供給されるタイミング信号に基づいて、少なくとも上述した選択制御信号及びデータ制御信号を生成して、各々、選択ドライバ１２０及びデータドライバ１３０に個別に供給する。これにより、システムコントローラ１４０は、各ドライバの動作状態を制御して、所定のタイミングで、表示パネル１１０に配列された各画素ＰＩＸへの階調信号の書込動作を実行して、画像データに基づく所定の画像情報を表示パネル１１０に表示させる。
【００２６】
表示信号生成回路１５０は、例えば表示装置１００の外部から供給される映像信号から輝度階調信号成分を抽出し、デジタル信号からなる画像データを生成してデータドライバ１３０に供給する。また、表示信号生成回路１５０は、映像信号に含まれる、画像情報の表示タイミングを規定する信号成分を抽出して、タイミング信号（垂直同期信号、水平同期信号等）としてシステムコントローラ１４０に供給する。
【００２７】
（画素）
次に、本実施形態に係る表示パネルに配列される画素について具体的に説明する。
図４は、本実施形態に係る表示パネルに適用される画素の一例を示す回路構成図である。ここでは、発光素子として有機ＥＬ素子を適用した場合について示すが、電流駆動型の発光素子であれば、例えば発光ダイオード等の他の発光素子であってもよい。
【００２８】
本実施形態に係る表示パネル１１０に配列される画素ＰＩＸは、図４に示すように、選択ドライバ１２０に接続された選択ラインＬsiと、データドライバ１３０に接続されたデータラインＬｄとの各交点近傍に配置されている。各画素ＰＩＸは、電流駆動型の発光素子である有機ＥＬ素子ＯＥＬと、該有機ＥＬ素子ＯＥＬを発光駆動するための電流を生成する発光駆動回路ＤＣと、を備えている。
【００２９】
発光駆動回路ＤＣは、上述した選択ドライバ１２０からｉ行目の選択ラインＬsiを介して印加される選択信号（第１の選択信号）Ｇｉ、及び、隣接するｉ＋１行目の選択ラインＬsi+1を介して印加される選択信号（第２の選択信号）Ｇi+1に基づいて、画素ＰＩＸを選択状態に設定する。発光駆動回路ＤＣは、この選択状態において上述したデータドライバ１３０からデータラインＬｄを介して供給される階調電圧Ｖdataに応じた発光駆動電流を生成する。有機ＥＬ素子ＯＥＬは、発光駆動回路ＤＣにより生成される発光駆動電流に基づいて、画像データに応じた所定の輝度階調で発光する。
【００３０】
図４に示す発光駆動回路ＤＣは、概略、トランジスタＴｒ１１〜Ｔｒ１３と、キャパシタＣｓと、を備えた回路構成を有している。トランジスタ（第１のスイッチング素子）Ｔｒ１１は、ゲート端子が選択ラインＬsiに接続され、また、ドレイン端子がデータラインＬｄに接続され、また、ソース端子が接点Ｎ１１に接続されている。トランジスタ（第２のスイッチング素子）Ｔｒ１２は、ゲート端子が選択ラインＬsiに接続され、また、ソース端子が選択ラインＬsi+1に接続され、また、ドレイン端子が接点Ｎ１２に接続されている。トランジスタ（駆動制御素子）Ｔｒ１３は、ゲート端子（制御端子）が接点Ｎ１１に接続され、ドレイン端子（電流路の一端）が高電位電源（一定の電源電圧Ｖcc；第１の電源電圧）に接続され、ソース端子（電流路の他端）が接点Ｎ１２に接続されている。また、キャパシタ（容量素子）Ｃｓは、トランジスタＴｒ１３のゲート端子（接点Ｎ１１）とソース端子（接点Ｎ１２）との間に接続されている。ここで、キャパシタＣｓは、トランジスタＴｒ１３のゲート・ソース端子間に形成される寄生容量であってもよいし、該寄生容量に加えて接点Ｎ１１及び接点Ｎ１２間に別個の容量素子を並列に接続したものであってもよい。また、有機ＥＬ素子ＯＥＬは、アノード（アノード電極）が上記発光駆動回路ＤＣの接点Ｎ１２に接続され、カソード（カソード電極）が低電位電源（一定の基準電圧Ｖss、例えば接地電位ＧＮＤ；第２の電源電圧）に接続されている。このように、本実施形態においては、ｉ行目の画素ＰＩＸに対して、当該行及び隣接する行の計２本の選択ラインＬsi及びＬsi+1が接続されている。
【００３１】
なお、図４に示した画素ＰＩＸにおいて、トランジスタＴｒ１１〜Ｔｒ１３は、同一のチャネル型を有する薄膜トランジスタ（ＴＦＴ）を適用することができる。図４においては、トランジスタＴｒ１１〜Ｔｒ１３として、ｎチャネル型の薄膜トランジスタを適用した場合について示した。また、トランジスタＴｒ１１〜Ｔｒ１３は、チャネルが形成される半導体層がアモルファスシリコンの薄膜トランジスタであってもよいし、チャネルが形成される半導体層がマイクロクリスタル（微結晶）シリコンを含む薄膜トランジスタであってもよい。
【００３２】
特に、上記トランジスタＴｒ１１〜Ｔｒ１３として、ｎチャネル型のアモルファスシリコン薄膜トランジスタを適用した場合には、すでに確立されたアモルファスシリコン製造技術を適用して、多結晶型や単結晶型のシリコン薄膜トランジスタに比較して、簡易な製造プロセスで表示パネル１１０内の複数の画素ＰＩＸ同士の動作特性（電子移動度等）が均一なトランジスタを実現することができる。
【００３３】
次に、本実施形態に係る表示装置における動作電圧について説明する。
図５は、本実施形態に係る表示装置における選択信号、階調電圧及び画素内部の電圧レベルの関係を説明するための図である。
上述したような構成を有する表示装置において、選択ドライバ１２０から各選択ラインＬsiに印加される選択信号Ｇｉの信号レベルと、データドライバ１３０から各データラインＬｄに印加される階調電圧Ｖdataと、有機ＥＬ素子ＯＥＬのアノード電圧及びカソード電圧と、以下のような関係を有するように設定されている。
【００３４】
すなわち、本実施形態においては、図５に示すように、有機ＥＬ素子ＯＥＬのカソード（カソード電極）に印加される電圧（カソード電圧）を基準電圧Ｖssとした場合、少なくとも、非選択レベルであるローレベルの選択信号Ｇｉ(L)の信号レベルは、基準電圧Ｖssよりも低い電位に設定される。例えば基準電圧Ｖssを接地電位ＧＮＤとした場合には、ローレベルの選択信号Ｇｉ(L)は、負電圧に設定される（Ｇｉ(L)＜ＧＮＤ）。また、データラインＬｄを介して発光駆動回路ＤＣに供給される階調電圧Ｖdataの電圧範囲（最低階調電圧〜最高階調電圧）は、駆動トランジスタであるトランジスタＴｒ１３がｎチャネル型の薄膜トランジスタにより構成されていることから、正の電位に設定される（Ｖdata≧ＧＮＤ）。
【００３５】
なお、この場合、選択レベルであるハイレベルの選択信号Ｇｉ(H)の信号レベルは、図５に示すように、例えば階調電圧Ｖdataの最高階調電圧及び有機ＥＬ素子ＯＥＬのアノードに印加される電圧（アノード電圧）を規定する電源電圧Ｖccよりも高い正電圧に設定される（Ｇｉ(H)＞Ｖcc、Ｖdata）。
【００３６】
（発光装置の駆動制御方法）
次に、本実施形態に係る表示装置における駆動制御方法について説明する。
図６は、本実施形態に係る表示装置における駆動制御方法を示すタイミングチャートである。図７は、本実施形態に係る表示装置における動作状態を示す概念図である。図７（ａ）は、画素ＰＩＸにおける書込動作を示し、図７（ｂ）は、画素ＰＩＸにおける発光動作を示す。
【００３７】
本実施形態に係る表示装置の駆動制御動作は、図５に示すように、所定の表示期間（１処理サイクル期間）Ｔcycに、画素ＰＩＸに画像データに応じた階調電圧Ｖdataを書き込む書込動作期間Ｔwtと、有機ＥＬ素子ＯＥＬを所定の輝度階調で発光させる発光動作期間Ｔemと、を含むように設定されている（Ｔcyc≧Ｔwrt＋Ｔem）。なお、ここでは、表示パネル１１０の１〜ｍ−１行目に配列された画素ＰＩＸにおける駆動制御方法について説明するが、最終行であるｍ行目に配列された画素ＰＩＸにおいても、ｉ＋１行目の選択ラインＬsi+1を、電圧供給線Ｌsxと読み替え、また、選択信号Ｇi+1を、ｍ−１行目の選択ラインＬsm-1に印加される選択信号Ｇm-1と読み替えることにより、同様の手法を用いて駆動制御される。
【００３８】
まず、書込動作期間Ｔwtにおいては、図６に示すように、選択ドライバ１２０からｉ行目の選択ラインＬsiにのみ選択レベル（ハイレベル）の選択信号Ｇｉ(H)が印加され、次行であるｉ＋１行目の選択ラインＬsi+1（厳密にはｉ行目以外の全ての行の選択ライン）に非選択レベル（ローレベル）の選択信号Ｇi+1(L)が印加される。また、このタイミングに同期して、データドライバ１３０から当該ｉ行目の画素ＰＩＸに書き込む画像データに応じた階調電圧ＶdataがデータラインＬｄに供給される。これにより、図７（ａ）に示すように、画素ＰＩＸの発光駆動回路ＤＣに設けられたトランジスタＴｒ１１、Ｔｒ１２がオン動作して、トランジスタＴｒ１１を介して、トランジスタＴｒ１３のゲート端子である接点Ｎ１１に階調電圧Ｖdataが印加されるとともに、トランジスタＴｒ１２を介して、トランジスタＴｒ１３のソース端子である接点Ｎ１２に、隣接するｉ＋１行目の選択ラインＬsi+1に印加された非選択レベル（ローレベル）の選択信号Ｇi+1(L)が印加される。
【００３９】
このとき、図５に示したように、非選択レベル（ローレベル）の信号レベルは、有機ＥＬ素子ＯＥＬのカソードに印加される基準電圧Ｖssよりも低い負電位に設定されていることから、トランジスタＴｒ１３のゲート・ソース間に接続されたキャパシタＣｓの両端間には、結果として接点Ｎ１１に印加された階調電圧Ｖdataと、接点Ｎ１２に印加された選択信号Ｇi+1の絶対値の和に相当する電位差Ｖcsが生じる（Ｖcs＝Ｖdata＋｜Ｇi+1(L)｜）。すなわち、キャパシタＣｓには階調電圧Ｖdataよりも大きい電圧が充電される（書込動作）。
【００４０】
これにより、図７（ａ）に示すように、トランジスタＴｒ１３は、ゲート・ソース間電圧（すなわちキャパシタＣｓの両端の電位差Ｖcs）及びドレイン・ソース間電圧Ｖds（Ｖds＝Ｖcc＋｜Ｇi+1(L)｜）に基づいてオン動作して、所定のオン電流Ｉonがドレイン・ソース間（高電位電源（電源電圧Ｖcc）から接点Ｎ１２方向）に流れる。このとき、トランジスタＴｒ１３のソース端子である接点Ｎ１２には、有機ＥＬ素子ＯＥＬのカソードに印加される基準電圧Ｖssよりも低い電圧（選択信号Ｇi+1(L)）が印加されているため、トランジスタＴｒ１３に流れるオン電流Ｉonは、接点Ｎ１２及びトランジスタＴｒ１３を介して、隣接するｉ＋１行目の選択ラインＬsi+1側に流れる。したがって、有機ＥＬ素子ＯＥＬには電流が流れないため発光動作しない（非発光動作）。
【００４１】
次いで、発光動作期間Ｔemにおいては、図６に示すように、選択ドライバ１２０からｉ行目の選択ラインＬsiに非選択レベル（ローレベル）の選択信号Ｇｉ(L)が印加される。なお、このタイミングにおいては、次行（ｉ＋１行）以降の選択ラインＬsi+1に順次選択レベル（ハイレベル）の選択信号が印加されるとともに、データドライバ１３０から次行（ｉ＋１行）以降の各行の画素ＰＩＸに書き込む画像データに応じた階調電圧Ｖdataが順次データラインＬｄに供給される。これにより、図７（ｂ）に示すように、画素ＰＩＸの発光駆動回路ＤＣに設けられたトランジスタＴｒ１１、Ｔｒ１２がオフ動作して、接点Ｎ１１とデータラインＬｄとの接続が遮断されるとともに、接点Ｎ１２と選択ラインＬsi+1との接続が遮断される。このとき、キャパシタＣｓに充電された電圧によりトランジスタＴｒ１３のゲート・ソース間電圧（キャパシタＣｓの両端の電位差Ｖcs）が保持されて、トランジスタＴｒ１３がオン動作を継続する。
【００４２】
この発光動作期間Ｔem開始直後においては、図６に示すように、トランジスタＴｒ１３のソース端子である接点Ｎ１２の電位は負電位にあるため、有機ＥＬ素子ＯＥＬのアノード（接点Ｎ１２）とカソード間には電流が流れないが、トランジスタＴｒ１３がオン動作を継続することにより接点Ｎ１２の電位が上昇し、有機ＥＬ素子ＯＥＬのアノード・カソード間電圧が所定の発光しきい値を超えると、図７（ｂ）に示すように、トランジスタＴｒ１３のオン電流が発光駆動電流Ｉemとして有機ＥＬ素子ＯＥＬに流れる。ここで、トランジスタＴｒ１３のゲート・ソース間電圧を規定するキャパシタＣｓの両端の電位差Ｖcsは、上述したように、階調電圧Ｖdataよりも大きい電圧（Ｖcs＝Ｖdata＋｜Ｇi+1(L)｜）に設定されているため、接点Ｎ１２の電位は瞬時に上昇して、有機ＥＬ素子ＯＥＬに発光駆動電流Ｉemが流れる。また、有機ＥＬ素子ＯＥＬに流れる発光駆動電流Ｉemは、トランジスタＴｒ１３のゲート・ソース間電圧（キャパシタＣｓの両端の電位差Ｖcs）に基づいて規定されるので、書き込まれた階調電圧Ｖdataに対応する本来の発光駆動電流よりも、ローレベル（負電圧）の選択信号｜Ｇi+1(L)｜に対応する所定の電流値分だけ大きく設定される。これにより、有機ＥＬ素子ＯＥＬは、画像データ（階調電圧Ｖdata）に応じた輝度階調よりも高い所定の輝度階調で発光することが可能となる（発光動作）。
【００４３】
そして、このような各画素ＰＩＸにおける書込動作及び発光動作からなる一連の駆動制御を、表示パネル１１０に２次元配列された各行の画素ＰＩＸについて順次実行することにより、各画素ＰＩＸの有機ＥＬ素子ＯＥＬが画像データに応じた所定の輝度階調で発光動作して、表示パネル１１０に所望の画像情報が表示される。
【００４４】
以上説明したような本実施形態に係る表示装置（発光装置）及びその駆動制御方法によれば、次のような作用効果を有している。
上述したような回路構成を有する画素ＰＩＸの駆動制御において、階調電圧Ｖdataの書込動作期間Ｔwtにおいては、トランジスタＴｒ１２がオン動作することにより、接点Ｎ１２がトランジスタＴｒ１２を介して隣接する行の選択ラインに接続される。ここで、非選択状態に設定されている隣接行の選択ラインにはローレベル（負電圧）の選択信号が印加されているので、キャパシタＣｓの一端側（又はトランジスタＴｒ１３のソース端子）であり、有機ＥＬ素子ＯＥＬのアノード側でもある接点Ｎ１２に残留する電荷がトランジスタＴｒ１２を介して隣接行の選択ラインに放電される。これにより、接点Ｎ１２の電位は、書込動作のたびにローレベルの選択信号Ｇｉ(L)に対応する一定の負電圧にリセットされる。
【００４５】
したがって、例えば低輝度階調の画像データに基づく階調電圧Ｖdataを画素ＰＩＸに書き込む場合であっても、画素ＰＩＸ内に残留する電荷が除去されてリセットされた状態で階調電圧Ｖdataの書込動作を行うことができるので、トランジスタＴｒ１３のゲート・ソース間に保持される電圧（すなわちキャパシタＣｓに充電される電圧）の精度を高めることができ、画像データに応じた所定の輝度階調で各画素ＰＩＸの有機ＥＬ素子ＯＥＬを均質に発光動作させることができる。それ故、表示パネル１１０に表示される画像情報の画質を向上させることができる。
【００４６】
また、本実施形態においては、上記の書込動作時に接点Ｎ１２の電位をリセットする制御を、制御端子（ゲート端子）が書込動作の対象になっている例えばｉ行目の選択ラインＬsiに接続され、電流路（ソース端子、ドレイン端子）が接点Ｎ１２と隣接行であるｉ＋１行目の選択ラインＬsi+1との間に接続されたトランジスタＴｒ１２を設けた簡易な構成で実現することができる。すなわち、画素ＰＩＸ内の残留電荷の除去（リセット）のために、専用の駆動回路や大規模な引き回し配線を設ける必要がなく、また、複雑な制御動作を行う必要もないので、装置規模の大型化や駆動制御の複雑化を招くことなく、良好な画質の表示装置を実現することができる。
【００４７】
加えて、本実施形態においては、上述したように、トランジスタＴｒ１２を介して接点Ｎ１２に接続される、隣接行の選択ラインのローレベル（非選択レベル）の選択信号が負電圧に設定されている。このため、書込動作時にトランジスタＴｒ１３のゲート・ソース間に保持される電圧（すなわちキャパシタＣｓに充電される電圧）は、データラインＬｄを介して供給する階調電圧Ｖdataよりも、ローレベルの選択信号の絶対値分だけ大きくなる。これにより、図４に示した発光駆動回路ＤＣのトランジスタＴｒ１２を備えない回路構成において、トランジスタＴｒ１３のゲート端子（接点Ｎ１１）に階調電圧Ｖdataを印加した場合と比較して、本実施形態においては、トランジスタＴｒ１３の電流路（ドレイン・ソース間）に流れるオン電流の電流値が大きくなり、有機ＥＬ素子ＯＥＬの発光輝度を高くすることができる。
【００４８】
すなわち、本実施形態においては、データドライバ１３０から供給される階調電圧Ｖdataの電圧値を大きくすることなく、画素ＰＩＸに書き込まれる電圧（キャパシタＣｓに充電される電圧；トランジスタＴｒ１３のゲート・ソース間に保持される電圧）を大きくすることができ、これは換言すれば、所定の輝度階調で有機ＥＬ素子ＯＥＬを発光動作させる場合、データドライバ１３０で生成する階調電圧Ｖdataの電圧値をより低く設定することができることを意味している。これにより、データドライバ１３０に設けられる電源供給回路の回路規模を小さくすることができる。
【００４９】
さらに、本実施形態に示した回路構成を有する画素ＰＩＸを駆動制御する際に適用される選択信号、階調電圧及び画素ＰＩＸ内部の電圧レベルの関係（図５参照）によれば、選択信号や階調電圧の電圧範囲及び電圧レベルを、既存の液晶表示装置における走査信号や階調信号の電圧範囲及び電圧レベルと略同等に設定することができる。したがって、本実施形態に係る選択ドライバ１２０やデータドライバ１３０として、既存（汎用）の液晶表示装置用のドライバを適用（転用）して、簡易かつ安価に良好な画質の有機ＥＬ表示装置（発光素子型ディスプレイ）を実現することができる。
【００５０】
なお、本実施形態においては、図２に示したように、表示パネル１１０の各行に配列された画素ＰＩＸが、ｉ行目の選択ラインＬsiと次行側に隣接するｉ＋１行目の選択ラインＬsi+1に接続した回路構成を示したが、本発明はこれに限定されるものではない。すなわち、本発明に係る発光装置（表示装置）に適用可能な表示パネルの構造は、書込動作時に各画素ＰＩＸのトランジスタＴｒ１２が負電圧の非選択レベルに設定された選択ラインに接続されているものであれば、上述した駆動制御動作を正常に実行することができるので、例えば次行側のｉ＋１行目の選択ラインＬsi+1に替えて、前行側に隣接するｉ−１行目の選択ラインＬsi-1にトランジスタＴｒ１２を接続した構成を有するものであってもよい。換言すると、上述した表示装置の駆動制御方法を適用した場合にあっては、トランジスタＴｒ１２は、ｉ行目の画素ＰＩＸへの書込動作時に、選択レベル（ハイレベル）に設定されたｉ行目の選択ラインＬsi以外の、ローレベル（負電圧）に設定された任意の行の選択ラインに接続されているものであればよい。
【００５１】
（発光装置の他の例）
次に、本実施形態に係る表示装置の他の例について、図面を参照して説明する。
図８は、本実施形態に係る表示装置に適用される表示パネル（発光パネル）及びその周辺回路（駆動回路）の他の例を示す要部構成図である。ここで、上述した実施形態と同等の構成については説明を省略する。
【００５２】
図２、図４に示した表示パネル１１０においては、最終行であるｍ行目に配列された画素ＰＩＸに設けられたトランジスタＴｒ１２が、電圧供給線Ｌsxを介して、ｍ−１行目の選択ラインＬsm-1に電気的に接続された構成を示した。図８に示す表示パネル１１０においては、画素ＰＩＸの行数（ｍ行）よりも１本多い数（ｍ＋１本）の選択ラインＬs1〜Ｌsm+1が配設され、最終行であるｍ行目に配列された画素ＰＩＸに設けられたトランジスタＴｒ１２が、ｍ＋１行目のダミーの選択ラインＬsm+1に接続された構成を有している。
【００５３】
本構成例においては、図８に示すように、表示パネル１１０に配設されたｍ＋１本の選択ラインＬs1〜Ｌsm+1が選択ドライバ１２０に接続されている。そして、上述した表示装置の駆動制御方法と同様に、選択ドライバ１２０により、所定のタイミングで各行の選択ラインＬs1〜Ｌsm+1が駆動されて、順次選択レベル（ハイレベル）の選択信号Ｇ１〜Ｇm+1が印加されて、書込動作の対象になっている行の画素ＰＩＸのみが選択状態に設定されるとともに、それ以外の行の選択ラインＬs1〜Ｌsm+1には非選択レベル（ローレベル）の選択信号Ｇ１〜Ｇm+1が印加される。
【００５４】
これにより、最終行であるｍ行目の画素ＰＩＸへの階調電圧Ｖdataの書込動作時においても、ｍ行目の選択ラインＬsmに選択レベル（ハイレベル）の選択信号Ｇｍが印加されるとともに、隣接するｍ＋１行目の選択ラインＬsm+1に非選択レベル（ローレベル）の選択信号Ｇm+1が印加されて、他の行における場合と同様の書込動作が実行される。
【００５５】
したがって、このような構成を有する表示パネル１１０を適用した表示装置１００においても、上述した実施形態と同様に、各行の画素ＰＩＸへの階調電圧Ｖdataの書込動作時に、画素ＰＩＸ内の残留電荷が除去されるとともに、トランジスタＴｒ１３のゲート・ソース間（キャパシタＣｓ）に階調電圧Ｖdataよりも大きい電圧成分を書き込むことができるので、簡易な構成及び制御で、各画素ＰＩＸを画像データに応じた所定の輝度階調で均質に発光動作させることができ、表示パネル１１０の画質を向上させることができる。
【００５６】
なお、選択信号Ｇm+1が選択レベル（ハイレベル）から非選択レベル（ローレベル）に変わってから選択信号Ｇ１が非選択レベル（ローレベル）から選択レベル（ハイレベル）に変わるが、これに限らず、選択信号Ｇm+1は、選択信号Ｇ１と同一の信号にしてもよい。
【００５７】
また、上記各実施形態では、トランジスタＴｒ１１〜Ｔｒ１３として、ｎチャネル型の薄膜トランジスタを適用した場合について示したが、これに限らずトランジスタＴｒ１１〜Ｔｒ１３の少なくとも1つとしてｐチャネル型の薄膜トランジスタを適用してもよい。トランジスタＴｒ１１及びトランジスタＴｒ１２のみがｐチャネル型のトランジスタの場合、ゲート電圧がローレベル（負電圧）でオンし、ハイレベル（正電圧）でオフするよう、適宜選択信号をハイ、ローレベルをｎチャネル型の場合と逆転すればよい。このときもｉ行目の画素ＰＩＸの書込動作期間Ｔwtにおける選択信号Ｇi+1の電位は、基準電圧Ｖssより低く設定されている。
【００５８】
また、トランジスタＴｒ１３のみがｐチャネルの場合、トランジスタＴｒ１３のソースは、有機ＥＬ素子ＯＥＬ側ではなく、電源電圧Ｖccに設定されるので、キャパシタＣｓは、一方を接点Ｎ１１に接続し、他方を接点１２の代わりに電源電圧Ｖccに接続するように設定されている。このときもｉ行目の画素ＰＩＸの書込動作期間Ｔwtにおける選択信号Ｇi+1の電位は、基準電圧Ｖssより低く設定されている。
【００５９】
（電子機器への適用例）
次に、上述した実施形態の各例に示した表示装置（発光装置）を適用した電子機器について、図面を参照して説明する。
【００６０】
上述したような回路構成を有する画素ＰＩＸが配列された表示パネル１１０を備える表示装置１００は、例えばデジタルカメラや薄型テレビジョン、パーソナルコンピュータ、携帯電話機等、種々の電子機器の表示デバイスとして良好に適用できるものである。
【００６１】
図９は、本発明に係る発光装置（表示装置）を適用したデジタルカメラの構成例を示す斜視図であり、図１０は、本発明に係る発光装置（表示装置）を適用した薄型テレビジョンの構成例を示す斜視図であり、図１１は、本発明に係る発光装置（表示装置）を適用したパーソナルコンピュータの構成例を示す斜視図であり、図１２は、本発明に係る発光装置（表示装置）を適用した携帯電話機の構成例を示す斜視図である。
【００６２】
図９において、デジタルカメラ２１０は、大別して、本体部２１１と、レンズ部２１２と、操作部２１３と、上述した実施形態の各例に示した構成を有する表示装置１００を適用した表示部２１４と、シャッターボタン２１５とを備えている。これによれば、簡易な構成及び制御で、表示部２１４に配列された各画素を画像データに応じた所定の輝度階調で均質に発光動作させることができ、画像情報を良好な画質で表示することができる。
【００６３】
また、図１０において、薄型テレビジョン２２０は、大別して、本体部２２１と、上述した実施形態の各例に示した構成を有する表示装置１００を適用した表示部２２２と、操作用コントローラ（リモコン）２２３と、を備えている。これによれば、簡易な構成及び制御で、表示部２２２に配列された各画素を画像データに応じた所定の輝度階調で均質に発光動作させることができ、画像情報を良好な画質で表示することができる。
【００６４】
また、図１１において、パーソナルコンピュータ２３０は、大別して、本体部２３１と、キーボード２３２と、上述した実施形態の各例に示した構成を有する表示装置１００を適用した表示部２３３とを備えている。この場合においても、簡易な構成及び制御で、表示部２３３に配列された各画素を画像データに応じた所定の輝度階調で均質に発光動作させることができ、画像情報を良好な画質で表示することができる。
【００６５】
また、図１２において、携帯電話機２４０は、大別して、本体部２４１と、操作部２４２と、送話口２４３と、上述した実施形態の各例に示した構成を有する表示装置１００を適用した表示部２４４と、受話口２４５とを備えている。この場合においても、簡易な構成及び制御で、表示部２４４に配列された各画素を画像データに応じた所定の輝度階調で均質に発光動作させることができ、画像情報を良好な画質で表示することができる。
【００６６】
なお、上述した各電子機器においては、本発明に係る発光装置を、表示装置（表示デバイス）として適用した場合について説明したが、本発明はこれに限定されるものではない。本発明に係る発光装置は、例えば単一の発光素子、もしくは、複数の発光素子が面状に配列された発光パネルを有する照明装置に適用するものであってもよい。また、本発明に係る発光装置は、例えば発光素子を含む複数の画素が一方向に配列された発光素子アレイを備え、感光体ドラムに画像データに応じて発光素子アレイから出射した光を照射して露光する露光装置に適用するものであってもよい。この場合においても、簡易な構成及び制御で、発光素子アレイの各画素を、画像データに応じた所定の輝度階調で均質に発光動作させることができる。特に、この場合においては、上述したように、従来と同等の階調電圧でより高輝度で発光動作させることができるので、良好な露光状態を実現することができる。
【符号の説明】
【００６７】
１００    表示装置
１１０    表示パネル
１２０    選択ドライバ
１３０    データドライバ
１４０    システムコントローラ
ＰＩＸ    画素
ＤＣ      発光駆動回路
ＯＥＬ    有機ＥＬ素子
Ｌs1〜Ｌsm    選択ライン
Ｌsx      電圧供給線
Ｇ１〜Ｇｍ    選択信号
【図１】
2012073367.tif 000003
【図２】
2012073367.tif 000004
【図３】
2012073367.tif 000005
【図４】
2012073367.tif 000006
【図５】
2012073367.tif 000007
【図６】
2012073367.tif 000008
【図７】
2012073367.tif 000009
【図８】
2012073367.tif 000010
【図９】
2012073367.tif 000011
【図１０】
2012073367.tif 000012
【図１１】
2012073367.tif 000013
【図１２】
2012073367.tif 000014